(57)【要約】【課題】大型で薄型のモニターを、黒板、ホワイトボード、電子ボード、スクリーンボード等のボード類と組み合わせることにより、その機能をそれらボード本来の機能に付加し、以て、当該薄型モニター及びボードの利用範囲を広げてそれらの利用価値を高め得る、薄型モニターを備えたボードを提供することを課題とする。【解決手段】黒板、ホワイトボード、電子ボード、スクリーンボード又はそれらの機能の内の複数の機能を備えた固定式又は移動式のボードであって、前記ボードのボード本体２にはガイドレール４が配備され、前記ガイドレール４に横移動可能に支持枠５が取り付けられ、前記支持枠５に薄型モニター３の背面に対する係着手段が設置される。【選択図】図１
2011116081.tif 000002
【特許請求の範囲】
【請求項１】
黒板、ホワイトボード、電子ボード、スクリーンボード又はそれらの機能の内の複数の機能を備えた固定式又は移動式のボードであって、
前記ボードのボード本体にはガイドレールが配備され、前記ガイドレールに横移動可能に支持枠が取り付けられ、前記支持枠に薄型モニターの背面に対する係着手段が設置されて成ることを特徴とする薄型モニターを備えたボード。
【請求項２】
前記ガイドレールは、前記ボード本体の上下に平行に配置される、請求項１に記載の薄型モニターを備えたボード。
【請求項３】
前記ガイドレールは、前記ボード本体の範囲を超えて延びるように配置される、請求項１又は２に記載の薄型モニターを備えたボード。
【請求項４】
前記支持枠、前記ボード本体、前記薄型モニターのいずれかがパソコン台を備えている、請求項１に記載の薄型モニターを備えたボード。
【請求項５】
前記パソコン台上に載置されるパソコンは、前記薄型モニターに接続されている、請求項４に記載の薄型モニターを備えたボード。
【請求項６】
前記薄型モニターに接続される配線を吊持する吊持手段を有する、請求項１乃至５のいずれかに記載の薄型モニターを備えたボード。
【請求項７】
前記薄型モニターは、前記支持枠において上下動可能に支持される、請求項１乃至６のいずれかに記載の薄型モニターを備えたボード。
【請求項８】
前記薄型モニターは、前記支持枠に傾斜可能に支持される、請求項１乃至７のいずれかに記載の薄型モニターを備えたボード。
【請求項９】
前記薄型モニターは薄型テレビである、請求項１乃至８のいずれかに記載の薄型モニターを備えたボード。
【請求項１０】
前記薄型モニターはパソコン用モニターである、請求項１乃至８のいずれかに記載の薄型モニターを備えたボード。
【発明の詳細な説明】
【技術分野】
【０００１】
本発明は、薄型モニターを備えたボードに関するものであり、より詳細には、学校等の教育関連施設や病院等の公共施設、あるいは、企業等において用いられる、黒板、ホワイトボード、電子ボード、スクリーンボード又はそれらの機能の内の複数の機能を併せ有する多機能型ボード（インタラクティブボード）等のボードであって、薄型モニターを備えたことを特徴とするボードに関するものである。
【背景技術】
【０００２】
近時、学校等の教育関連施設や病院等の公共施設、あるいは、企業等において、ホワイトボード、電子ボード、スクリーンボード等の機能を併せ有するインタラクティブボードが広く利用されている。
【０００３】
これらのインタラクティブボードは、主にプロジェクターを用いるものであり、この種のボードの多くは、それ自体がスクリーン機能を有するか、スクリーン機能を有するボードが併設された構成となっている。また、近時、液晶技術やプラズマ技術等の発展に伴い、例えば、５０インチサイズ、あるいは、それ以上の大型で薄型のテレビやパソコン等のモニターが普及し、やはり、学校等の教育関連施設や病院等の公共施設、あるいは、商業施設等において広く利用されている。
【０００４】
しかし、このような大型で薄型のモニターは、壁面に固定したり、専用スタンドに支持させたりして用いられるのが一般で、それ以外の利用形態、殊に、黒板、ホワイトボード、電子ボード、スクリーンボード等のボード類との組み合わせ利用は考えられていない。
【先行技術文献】
【特許文献】
【０００５】
【特許文献１】特開２００９−２００９０１号公報
【特許文献２】特開２００９−２１７３１号公報
【特許文献３】特開２００６−２８７５６２号公報
【発明の概要】
【発明が解決しようとする課題】
【０００６】
上述したように、近時、５０インチサイズ、あるいは、それ以上の大型で薄型のモニターが普及し、学校等の教育関連施設や病院等の公共施設、あるいは、商業施設等において、壁面に固定したり、専用スタンドに支持させたりして用いられているが、それ以外の利用形態、殊に、黒板、ホワイトボード、電子ボード、スクリーンボード等のボード類との組み合わせ利用は考えられていなかった。
【０００７】
そこで本発明は、テレビ用モニターやパソコン用モニター等として利用される大型で薄型のモニターを、黒板、ホワイトボード、電子ボード、スクリーンボード等のボード類と組み合わせることにより、その機能をそれらボード本来の機能に付加し、以て、当該薄型モニター及びボードの利用範囲を広げてそれらの利用価値を高め得る、薄型モニターを備えたボードを提供することを課題とする。
【課題を解決するための手段】
【０００８】
上記課題を解決するための請求項１に記載の発明は、黒板、ホワイトボード、電子ボード、スクリーンボード又はそれらの機能の内の複数の機能を備えた固定式又は移動式のボードであって、前記ボードのボード本体にはガイドレールが配備され、前記ガイドレールに横移動可能に支持枠が取り付けられ、前記支持枠に薄型モニターの背面に対する係着手段が設置されて成ることを特徴とする薄型モニターを備えたボードである。
【０００９】
一実施形態においては、前記ガイドレールは、前記ボード本体の上下に平行に配置され、また、前記ガイドレールは、前記ボード本体の範囲を超えて延びるように配置される。
【００１０】
また、一実施形態においては、前記支持枠、前記ボード本体、前記薄型モニターのいずれかがパソコン台を備え、前記パソコン台上に載置されるパソコンは、前記薄型モニターに接続され、前記ボードに、前記薄型モニターに接続される配線を吊持する吊持手段が設けられる。
【００１１】
一実施形態においては、前記薄型モニターは、前記支持枠において上下動可能に支持され、あるいは、前記薄型モニターは、前記支持枠に傾斜可能に支持される。前記薄型モニターは、テレビ、あるいは、パソコン用モニターである。
【発明の効果】
【００１２】
本発明は上述したとおりであって、本発明に係る薄型モニターを備えたボードは、ボード本体にガイドレールが配備され、そのガイドレールに横移動可能に支持枠が取り付けられ、その支持枠に薄型モニターの背面に対する係着手段が設置されていて、その係着手段を介して薄型モニターが設置される構成であるため、ボード本来の機能と共に、当該モニターを用いての機能とを併せ備えることになり、以て、当該薄型モニター及びボードの利用範囲が広がると共に、それらの利用価値が高められ、また、使用者にとって至便となる効果がある。
【図面の簡単な説明】
【００１３】
【図１】本発明に係る薄型モニターを備えたボードの構成例を示す概略正面図である。
【図２】本発明に係る薄型モニターを備えたボードにおけるモニター支持部の構成例を示す概略正面図である。
【図３】本発明に係る薄型モニターを備えたボードの構成例を示す概略正面図である。
【図４】本発明に係る薄型モニターを備えたボードの構成例を示す概略正面図である。
【発明を実施するための最良の形態】
【００１４】
以下に、本発明を実施するための最良の形態について、図面に依拠して説明する。本発明に係る薄型モニターを備えたボード１は、黒板、ホワイトボード、電子ボード又はそれらの機能の内の複数の機能を有する複合機能タイプのボードを含むものであって、そのボード本体２に重なるようにして、且つ、移動可能にして薄型モニター３を備えて成ることを特徴とするものである。薄型モニター３は、テレビ用、あるいは、パソコン用等として用いられるものである。
【００１５】
ボード１には、壁等に恒久的に設置される固定式のものと、キャスター付きスタンドに支持された移動式のものとがあるが、本発明においては、その両者を含む。先ず、図１乃至図３に示される固定式のボード１について説明する。ボード１には、そのボード本体２の上辺、あるいは、上辺及び下辺に沿ってガイドレール４が配備される。薄型モニター３をボード本体２の外側にまで出す場合は、ガイドレール４は、ボード本体１からはみ出すように設置される（図１参照）。
【００１６】
ガイドレール４には、それに沿って横移動可能にモニター支持枠５が設置される。この支持枠５は、ガイドレール４がボード本体２の上辺にのみ配備される場合は懸架式のものとされ、ガイドレール４がボード本体２の上辺及び下辺に配備される場合は、上下のガイドレール４間に渡されるものとなる。
【００１７】
例えば、支持枠５は、左右一対の支柱６、７と、支柱６、７間に配置されるモニター取付け部８とから成る。支柱６、７は、寸法調整を容易にし、且つ、汎用性を持たせるために、鞘構造とする等により、伸縮可能にすることが好ましい（図２、３参照）。支持枠５は、その支柱６、７の端部に、ボード本体２の上下に敷設されるガイドレール４に係合して転動又は摺動する手段を配備することにより、ボード本体２に沿って横方向へ移動可能に構成される。
【００１８】
ガイドレール４としては、例えば、断面が角Ｃ字形状を呈するアルミ枠材を用いることができ、支柱６、７の端部に配備される転動又は摺動手段としては、ローラー９が用いられる（図２、３参照）。通例、ローラー９は、その安定走行のために、前後一対のホイールを備えたものが用いられ（図２参照）、その支軸１０が、ガイドレール４の正面側に存するスリット１１から出される。
【００１９】
ローラー９の支軸１０は、アーム１２を介して支柱６、７の上端及び下端に連結される。アーム１２は、好ましくはその中間部が屈折自在にされ、以て、支柱６、７が、アーム１２の途中からボード面２に対して揺動可能となるようにされる。この構成は、特にボード本体２が曲面黒板の場合に有効で、曲面部を移動させる際に支点部分、即ち、支軸１０に加わる捻り応力を解消させて、曲面部を無理なく移動させることが可能となる。
【００２０】
なお、図示してないが、ガイドレール４に対する支柱６、７の取り付け作業を容易にするために、ガイドレール４の適宜箇所（通例、中央部付近）に不連続部を設け、ローラー９をこの不連続部から横にずらしてガイドレール４に係合させるようにすることができる。
【００２１】
支柱６、７間に配置されるモニター取付け部８は、例えば、両端部が支柱６、７に固定された一対の横枠１３（図２参照）、あるいは、支柱６、７間に渡された１枚のプレート（図４参照）に設置される。なお、横枠１３による場合は、横枠１３を鞘構造とする等により伸縮可能にして、支柱６、７間の間隔を変更可能にすることもある。
【００２２】
モニター取付け部８には、薄型モニター３の背面に対する係着手段が設置される。この係着手段は、薄型モニター３の背面の形状に対応するもので、例えば、薄型モニター３の背面に設けられている吊下げ用凹部に引っ掛かるフック状のものとされ、あるいは、薄型モニター３の背面にネジ止め可能にした止め金具１５とされる。
【００２３】
また、これらのフックや止め金具１５と共に、薄型モニター３の下端を受け止める、Ｊ字形状の受け部材を併設することもある。受け部材は、例えば、その垂直部に複数のネジ穴を縦方向に並設し、そのネジ穴を選択することによって上下方向に位置調整できるようにして、モニター取付け部８に取り付けられる。また、そのように薄型モニター３の下部を受け止めることとした場合は、上部の係着部を螺進・螺退等によって前進後退させることで、薄型モニター３を任意の角度に傾斜可能に構成することもできる。
【００２４】
更に、モニター取付け部８の構成として、Ｊ字形状の受け部材によって薄型モニター３の下部を受け、その受け部材と同様のＪ字形状で上下逆向きにした上受け部材によって、薄型モニター３の上部を受ける取り付け構成も可能である。
【００２５】
好ましい実施形態においては、支持枠５の一部、ボード本体２の下部、あるいは、薄型モニター３の下部又は側部に、モニター操作のためのパソコン１７を載置するパソコン台１８が備え付けられる。図示した例では、パソコン台１８は、支持枠５の一方の支柱６に、ブラケット１９を介して設置されている。
【００２６】
更に、好ましい実施形態においては、薄型モニター３に接続される配線を吊持する吊持手段が配設される。この吊持手段は、例えば、壁間に張られたワイヤー２０と、ワイヤー２０が通されてワイヤー２０に吊下される多数のリング２１と、配線２３に適宜間隔置きに固定されていてリング２１に連結される連結部材２２とから成る。
【００２７】
図１に示す状態では配線２３は緊張しているが、この状態から薄型モニター３が左方に移動すると、配線２３は各連結部材２２間において弛み、また、リング２１を介してワイヤーに沿って自由移動する。かくして、配線２３同士が交錯して見苦しくなったりすることが防止される。
【００２８】
図４は、ボード１が移動式ボードの場合の構成例を示すもので、ボード本体２はスタンド２５に設置される。それ以外の構成は、上述した固定式ボードの場合と基本的に変わりはなく、図４において図１乃至図３におけると共通の符号は、図１乃至図３における部位と同一の構成を示しているので、説明を省略する。なお、この場合のパソコン台１８は、スタンド２５に取り付けられている。
【００２９】
このように本発明に係る薄型モニターを備えたボードは、ボード本体２にガイドレール４が配備され、そのガイドレール４に横移動可能に支持枠５が取り付けられ、その支持枠５に薄型モニター３の背面に対する係着手段が設置されていて、その係着手段を介して薄型モニター３が設置される構成であるため、ボード１本来の機能と共に、当該モニター３を用いての機能とを併せ備えることになり、以て、当該薄型モニター３及びボード１の利用範囲が広がると共に、それらの利用価値が高められ、使用者にとって至便なものとなる。
【００３０】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【符号の説明】
【００３１】
１      ボード
２      ボード本体
３      薄型モニター
４      ガイドレール
５      支持枠
６、７  支柱
８      モニター取付け部
９      ローラー
１８    パソコン台    
【図１】
2011116081.tif 000003
【図２】
2011116081.tif 000004
【図３】
2011116081.tif 000005
【図４】
2011116081.tif 000006